(57)【要約】  本発明は、表示モジュールの設置ずれが生じた場合においても、表示モジュール間の継ぎ目部分を目立たなくし画質の劣化を防止することができる画像表示システムを提供することを目的とする。このような目的を達成するため、本発明に係る画像表示システムは、表示モジュール２間の間隔値に応じた輝度補正値が記憶される対応情報記憶部１１と、表示モジュール２間の間隔値が入力された場合に、その間隔値に応じた輝度補正値を対応情報記憶部１１から取得して輝度補正部１３に出力する輝度補正値出力部１２と、輝度補正値出力部１２から出力された輝度補正値に基づいて、入力された画像データを構成する複数の画素のうち、表示モジュール２間の継ぎ目近傍にある複数の発光素子に対応する複数の画素の輝度を補正する輝度補正部１３とを備える。
2013051063.tif 000002
【特許請求の範囲】
【請求項１】
入力された画像データの輝度を補正して補正後の画像データを出力する制御装置と、複数の発光素子が配列され前記制御装置からの前記補正後の画像データが入力される複数の表示モジュールとを備え、前記複数の表示モジュールを配列して構成される画像表示装置に前記補正後の画像データに対応する画像を表示させる画像表示システムであって、
前記制御装置は、
前記複数の表示モジュールのうちの第１の表示モジュールと、この第１の表示モジュールに隣り合う前記複数の表示モジュールのうちの第２の表示モジュールとの間の間隔値が入力された場合に、この入力された間隔値に対応し前記画像データの輝度を補正するための輝度補正値を出力する輝度補正値出力部と、
この輝度補正値出力部から出力された前記輝度補正値に基づいて、前記画像データを構成する複数の画素のうち、前記第１の表示モジュール内であって前記第２の表示モジュールに隣接する第１のライン上にある複数の前記発光素子に対応する複数の画素の輝度を補正する輝度補正部とを備えることを特徴とする画像表示システム。
【請求項２】
前記輝度補正値出力部は、前記入力された間隔値が前記表示モジュール内の隣り合う前記発光素子間の間隔値よりも大きい場合は、前記第１のライン上にある前記複数の発光素子に対応する前記複数の画素の輝度を入力時の輝度よりも高くする輝度補正値を出力し、前記入力された間隔値が前記表示モジュール内の隣り合う前記発光素子間の間隔値よりも小さい場合は、前記第１のライン上にある前記複数の発光素子に対応する前記複数の画素の輝度を入力時の輝度よりも低くする輝度補正値を出力することを特徴とする請求項１に記載の画像表示システム。
【請求項３】
前記輝度補正部は、前記輝度補正値出力部から出力された前記輝度補正値に基づいて、前記画像データを構成する複数の画素のうち、前記第２の表示モジュール内であって前記第１のラインに隣接する第２のライン上にある複数の前記発光素子に対応する複数の画素の輝度を補正することを特徴とする請求項１又は２に記載の画像表示システム。
【請求項４】
前記輝度補正値出力部は、前記入力された間隔値が隣り合う前記発光素子間の間隔値よりも大きい場合は、前記第２のライン上にある前記複数の発光素子に対応する前記複数の画素の輝度を入力時の輝度よりも高くする輝度補正値を出力し、
前記入力された間隔値が隣り合う前記発光素子間の間隔値よりも小さい場合は、前記第２のライン上にある前記複数の発光素子に対応する前記複数の画素の輝度を入力時の輝度よりも低くする輝度補正値を出力することを特徴とする請求項３に記載の画像表示システム。
【請求項５】
前記輝度補正値出力部は、前記第１のライン上にある前記複数の発光素子に対応する前記複数の画素のうち、一部の画素に出力する輝度補正値を他の画素に出力する輝度補正値よりも所定の差高い値とするとともに、
前記第２のライン上にある前記複数の発光素子に対応する複数の画素のうち、前記第１のライン上にある前記複数の発光素子に対応する前記複数の画素のうちの前記一部の画素に隣接する画素に出力する輝度補正値を、前記第１のライン上にある前記複数の発光素子に対応する前記複数の画素のうちの前記他の画素に隣接する画素に出力する輝度補正値よりも所定の差低い値とすることを特徴とする請求項３又は４に記載の画像表示システム。
【請求項６】
前記制御装置は、撮像装置により撮像された前記画像表示装置の撮像画像データに基づいて前記第１の表示モジュールと前記第２の表示モジュールとの間の間隔値を算出し、前記輝度補正値出力部に出力する撮像画像解析部を備えることを特徴とする請求項１乃至５のいずれかに記載の画像表示システム。
【請求項７】
前記撮像画像解析部は、
前記撮像画像データから前記第１の表示モジュールと前記第２の表示モジュール間の間隔値と、前記表示モジュール内の隣り合う前記発光素子間の間隔値とを算出する間隔値算出部と、
前記間隔値算出部により算出された前記表示モジュール間の間隔値と前記発光素子間の間隔値とを比較して設置ずれを判定し、設置ずれが生じていると判定した場合には前記表示モジュール間の間隔値を前記輝度補正値出力部に出力する設置ずれ判定部とを有することを特徴とする請求項６に記載の画像表示システム。
【請求項８】
入力された画像データの輝度を補正して補正後の画像データを複数の発光素子が配列された複数の表示モジュールに出力し、前記複数の表示モジュールを配列して構成される画像表示装置に前記補正後の画像データに対応する画像を表示させる制御装置であって、
前記複数の表示モジュールのうちの第１の表示モジュールと、この第１の表示モジュールに隣り合う前記複数の表示モジュールのうちの第２の表示モジュールとの間の間隔値が入力された場合に、前記入力された間隔値に対応し前記画像データの輝度を補正するための輝度補正値を出力する輝度補正値出力部と、
この輝度補正値出力部から出力された前記輝度補正値に基づいて、前記画像データを構成する複数の画素のうち、前記第１の表示モジュール内であって前記第２の表示モジュールに隣接する第１のライン上にある複数の前記発光素子に対応する複数の画素の輝度を補正する輝度補正部とを備えることを特徴とする制御装置。
【請求項９】
複数配列されて画像を表示する画像表示装置を構成するとともに、複数の発光素子が配列された表示モジュールであって、
隣り合う表示モジュールとの間の間隔値に対応し、入力される画像データの輝度を補正するための輝度補正値が記憶される輝度補正値記憶部と、
前記輝度補正値記憶部に記憶される前記輝度補正値に基づき、前記画像データを構成する複数の画素のうち、前記隣り合う表示モジュールに隣接するライン上にある複数の前記発光素子に対応する複数の画素の輝度を補正する輝度補正部とを備えることを特徴とする表示モジュール。
【請求項１０】
前記輝度補正値記憶部に記憶される前記輝度補正値は、前記間隔値が前記表示モジュール内の隣り合う前記発光素子間の間隔値よりも大きい場合は、前記ライン上にある複数の前記発光素子に対応する前記複数の画素の輝度を入力時よりも高くする値であり、前記間隔値が前記表示モジュール内の隣り合う前記発光素子間の間隔値よりも小さい場合は、前記ライン上にある複数の前記発光素子に対応する前記複数の画素の輝度を入力時よりも低くする値であることを特徴とする請求項９に記載の表示モジュール。
【発明の詳細な説明】
【技術分野】
【０００１】
本発明は、複数の表示モジュールを配列して構成される画像表示装置に画像を表示する画像表示システム、制御装置、及び表示モジュールに関するものである。
【背景技術】
【０００２】
複数の発光素子が等間隔に配列された表示モジュールを縦横方向に複数配列し、全体で一つの大画面を構成する画像表示装置が知られている。このような画像表示装置を構成する表示モジュールを継ぎ合わせる場合、設置ずれによって、隣り合う表示モジュール間の継ぎ目の間隔が表示モジュール内の隣り合う発光素子間の間隔よりも広くなると、表示モジュール間の継ぎ目部分が暗線として見えてしまい画質の劣化を招く。【０００３】
しかし、継ぎ目の間隔が発光素子間の間隔と同じになるように全ての表示モジュールを配列するには設置時間、設置コストがかかってしまう。そのため従来は、表示モジュールに配列された複数の発光素子のうち、継ぎ目近傍にある発光素子の輝度を、中央部分における発光素子の輝度よりも高くなるように補正し、継ぎ目部分の暗線を目立たなくしていた（例えば、特許文献１参照）。
【先行技術文献】
【特許文献】
【０００４】
【特許文献１】特開２００４−８６１６５号公報（０２８９段落）
【発明の概要】
【発明が解決しようとする課題】
【０００５】
しかしながら、上記の特許文献１においては、各表示モジュールの継ぎ目近傍にある発光素子の輝度をどの程度補正するか、すなわち、輝度の補正値をどのように設定するかということについては考慮されておらず、例えば各表示モジュールに対してそれぞれ同一の補正値で輝度補正する場合、表示モジュールの組によって間隔が異なるため、暗線が解消しない継ぎ目部分が残り、画質の劣化を防止できないという課題があった。また、表示モジュール間の継ぎ目の間隔が発光素子間の間隔よりも狭い場合は、継ぎ目近傍における発光素子の輝度を中央部分における発光素子の輝度よりも高くするような輝度補正値で輝度補正すると、継ぎ目部分が明線となり画質の劣化を招くという課題があった。【０００６】
本発明は、上述した課題を解決するためになされたものであり、表示モジュール間の継ぎ目部分を目立たなくし画質の劣化を防止することができる画像表示システムを提供することを目的とする。
【課題を解決するための手段】
【０００７】
本発明に係る画像表示システムは、入力された画像データの輝度を補正して補正後の画像データを出力する制御装置と、複数の発光素子が配列され前記制御装置からの前記補正後の画像データが入力される複数の表示モジュールとを備え、前記複数の表示モジュールを配列して構成される画像表示装置に前記補正後の画像データに対応する画像を表示させる画像表示システムであって、前記制御装置は、前記複数の表示モジュールのうちの第１の表示モジュールと、この第１の表示モジュールに隣り合う前記複数の表示モジュールのうちの第２の表示モジュールとの間の間隔値が入力された場合に、この入力された間隔値に対応し前記画像データの輝度を補正するための輝度補正値を出力する輝度補正値出力部と、この輝度補正値出力部から出力された前記輝度補正値に基づいて、前記画像データを構成する複数の画素のうち、前記第１の表示モジュール内であって前記第２の表示モジュールに隣接する第１のライン上にある複数の前記発光素子に対応する複数の画素の輝度を補正する輝度補正部とを備えることを特徴とする。【０００８】
また、本発明に係る制御装置は、入力された画像データの輝度を補正して補正後の画像データを複数の発光素子が配列された複数の表示モジュールに出力し、前記複数の表示モジュールを配列して構成される画像表示装置に前記補正後の画像データに対応する画像を表示させる制御装置であって、前記複数の表示モジュールのうちの第１の表示モジュールと、この第１の表示モジュールに隣り合う前記複数の表示モジュールのうちの第２の表示モジュールとの間の間隔値が入力された場合に、前記入力された間隔値に対応し前記画像データの輝度を補正するための輝度補正値を出力する輝度補正値出力部と、この輝度補正値出力部から出力された前記輝度補正値に基づいて、前記画像データを構成する複数の画素のうち、前記第１の表示モジュール内であって前記第２の表示モジュールに隣接する第１のライン上にある複数の前記発光素子に対応する複数の画素の輝度を補正する輝度補正部とを備えることを特徴とする。【０００９】
また、本発明に係る表示モジュールは、複数配列されて画像を表示する画像表示装置を構成するとともに、複数の発光素子が配列された表示モジュールであって、隣り合う表示モジュールとの間の間隔値に対応し、入力される画像データの輝度を補正するための輝度補正値が記憶される輝度補正値記憶部と、前記輝度補正値記憶部に記憶される前記輝度補正値に基づき、前記画像データを構成する複数の画素のうち、前記隣り合う表示モジュールに隣接するライン上にある複数の前記発光素子に対応する複数の画素の輝度を補正する輝度補正部とを備えることを特徴とする。
【発明の効果】
【００１０】
本発明の画像表示システム、制御装置、及び表示モジュールによれば、表示モジュール間の継ぎ目の間隔に応じた輝度補正値で継ぎ目近傍における発光素子の輝度を補正するので、表示モジュール間の継ぎ目部分に生じる暗線又は明線を目立たなくし、画質の劣化を防止することができる。
【図面の簡単な説明】
【００１１】
【図１】実施の形態１に係る画像表示システムの構成図。
【図２】実施の形態１に係る表示モジュールを説明するための図。
【図３】実施の形態１に係る表示モジュール間の継ぎ目の間隔を説明するための図。
【図４】実施の形態１における画像表示装置と画像データとの対応関係を説明するための図。
【図５】実施の形態１に係る画像表示装置の一例を示す図。
【図６】実施の形態１に係る動作を示すフローチャート。
【図７】実施の形態１に係る対応情報記憶部に記憶される輝度補正値の１例を示す図。
【図８】実施の形態１に係る輝度補正値の設定方法の１例を説明するための図。
【図９】実施の形態１に係る画像データの輝度補正を説明するための図。
【図１０】実施の形態１に係る画像データの輝度補正の他の例を説明するための図。
【図１１】実施の形態１に係る対応情報記憶部に記憶される輝度補正値の他の例を示す図。
【図１２】実施の形態１に係る画像データの輝度補正の他の例を説明するための図。
【図１３】実施の形態１に係る画像データの輝度補正の他の例を説明するための図。
【図１４】実施の形態２に係る画像表示システムの構成図。
【図１５】実施の形態２に係る動作を示すフローチャート。
【図１６】実施の形態３に係る画像表示システムの構成図。
【図１７】実施の形態３に係る撮像画像解析部の構成図。
【図１８】実施の形態３に係る継ぎ目の間隔値の算出処理動作を示すフローチャート。
【図１９】実施の形態３に係る撮像画像データに対応する画像表示装置を直交座標系で表した図。
【発明を実施するための形態】
【００１２】
実施の形態１．
以下図面を用いて本発明の実施の形態１について説明する。図１は実施の形態１に係る画像表示システムの構成図を示す。図２は実施の形態１に係る表示モジュールを説明するための図を示す。図３は実施の形態１に係る表示モジュール間の継ぎ目の間隔を説明するための図を示す。図４は実施の形態１における画像表示装置と画像データとの対応関係を説明するための図を示す。図５は実施の形態１に係る画像表示装置の一例を示す図を示す。図６は実施の形態１に係る動作を示すフローチャートを示す。図７は実施の形態１に係る対応情報記憶部に記憶される輝度補正値の１例を示す図を示す。図８は実施の形態１に係る輝度補正値の設定方法の１例を説明するための図を示す。図９は実施の形態１に係る画像データの輝度補正を説明するための図を示す。図１０は実施の形態１に係る画像データの輝度補正の他の例を説明するための図を示す。図１１は実施の形態１に係る対応情報記憶部に記憶される輝度補正値の他の例を示す図を示す。図１２は実施の形態１に係る画像データの輝度補正の他の例を説明するための図を示す。図１３は実施の形態１に係る画像データの輝度補正の他の例を説明するための図を示す。
【００１３】
図１に示すように、本発明の実施の形態１の画像表示システムは、入力された表示用の画像データの輝度を補正して出力する制御装置１と、この制御装置１から輝度補正された画像データが出力される複数の表示モジュール２とを備える。画像データは、画像を構成する複数の画素の輝度情報についてのデータであり、ＰＣ（Ｐｅｒｓｏｎａｌ  Ｃｏｍｐｕｔｅｒ）やＴＶ（Ｔｅｌｅｖｉｓｉｏｎ）等の外部機器から制御装置１に入力される。
【００１４】
まず、表示モジュール２の詳細について説明する。図２に示すように、表示モジュール２には複数の発光素子４が縦横方向に等間隔に配列される。ここでは、１つの表示モジュール２に発光素子４が１０行×１０列で配列されている。発光素子４はＬＥＤ（Ｌｉｇｈｔ  Ｅｍｉｔｔｉｎｇ  Ｄｉｏｄｅ）から構成され、１つの発光素子４は画像データ上の１画素に対応する。つまり、１つの発光素子４で１画素を表現する。このような複数の発光素子４が配列された表示モジュール２が縦横方向に複数配列されることにより、全体で１つの大画面画像を表示する画像表示装置３が構成される。
【００１５】
このとき、表示モジュール２は、隣り合う表示モジュール２間の間隔、つまり継ぎ目の間隔が、表示モジュール２内に配列された発光素子４間の間隔と同一となるように配列される。図３に示すように、表示モジュール２−１と表示モジュール２−２との間の継ぎ目の間隔は、表示モジュール２−１の最右列に配列される発光素子４と、表示モジュール２−２の最左列に配列される発光素子４との間の距離である。また、縦方向の継ぎ目の間隔についても同様で、表示モジュール２−１と表示モジュール２−３との間の継ぎ目の間隔は、表示モジュール２−１の最下行に配列される発光素子４と、表示モジュール２−４の最上行に配列される発光素子４との間の距離である。この表示モジュール２間の継ぎ目の間隔と、表示モジュール２内の隣り合う発光素子４間の間隔とが同一でない場合、表示モジュール２の設置ずれが生じている。
【００１６】
図１に戻って画像表示システムの詳細について説明する。制御装置１は、対応情報記憶部１１と、輝度補正値出力部１２と、輝度補正部１３と、画像分割部１４とを備える。また、表示モジュール２は発光制御部２１を備える。
【００１７】
対応情報記憶部１１には、隣り合う表示モジュール２間の継ぎ目の間隔値と輝度補正値とが予め対応づけて記憶されている。輝度補正値は画像データを構成する画素の輝度を補正するための値であり、表示モジュール２間の継ぎ目の間隔値に応じてその値が異なる。つまり輝度補正値は、表示モジュール２間の継ぎ目の間隔値が表示モジュール２内の隣り合う発光素子４間の間隔値よりも大きい場合は、補正対象画素の輝度を画像データ入力時よりも（補正前よりも）高くするような値となり、表示モジュール２間の継ぎ目の間隔値が発光素子４間の間隔値よりも小さい場合は、補正対象画素の輝度を画像データ入力時よりも低くするような値となる。この輝度補正値の詳細については後述する。
【００１８】
輝度補正値出力部１２には、第１の表示モジュールとこの第１の表示モジュールに隣り合う第２の表示モジュールとの間の継ぎ目の間隔値と、この間隔値に対応する表示モジュール番号が入力される。輝度補正値出力部１２は、これらの情報が入力されると、入力された間隔値に対応する輝度補正値を対応情報記憶部１１から取得する。そして、輝度補正値出力部１２は、取得した輝度補正値と表示モジュール番号を輝度補正部１３に出力する。例えば、図４に示す表示モジュールＭ１と表示モジュールＭ２との間の間隔値が入力された場合、輝度補正値出力部１２は、表示モジュールＭ１、Ｍ２の番号と、間隔値に対応する輝度補正値とを出力することとなる。
【００１９】
輝度補正部１３は、輝度補正値出力部１２から入力される輝度補正値と表示モジュール番号に基づいて、入力された画像データを構成する複数の画素のうち、第１の表示モジュールと第２の表示モジュールとの継ぎ目近傍にある発光素子４に対応する画素の輝度を補正し、輝度補正後の画像データを出力する。具体的には、輝度補正部１３は、表示モジュール番号から、第１の表示モジュールと第２の表示モジュールとの継ぎ目近傍にある発光素子４に対応する画素を補正対象画素として特定し、それら画素に対し輝度補正値を加算する。
【００２０】
ここで継ぎ目近傍とは、第１の表示モジュール内であって第２の表示モジュールに隣接する第１のライン上を指す。図４において、第１の表示モジュールが表示モジュールＭ１に対応し、第２の表示モジュールが表示モジュールＭ２に対応するとした場合、表示モジュールＭ１の最右列が第１のラインである。つまり輝度補正部１３は、この第１のライン上にある複数の発光素子４に対応する複数の画素（最右列にある画素）からなる画素群Ａの輝度を補正する。
【００２１】
また、継ぎ目近傍には、第１のライン上に加え、第２の表示モジュール内であって第１の表示モジュールに隣接する第２のライン上も含まれてもよい。図４において、表示モジュールＭ２の最左列が第２のラインである。輝度補正部１３は、この第２のライン上にある複数の発光素子４に対応する複数の画素（最左列にある画素）からなる画素群Ｂの輝度についても補正することとなる。こうすることにより、輝度補正部１３は、表示モジュール２間の継ぎ目部分の両側にある発光素子４に表示させる画素群Ａ及び画素群Ｂを輝度補正するので、設置ずれが生じて継ぎ目部分に暗線又は明線が生じても、バランスよくこの暗線又は明線を解消することができる。
【００２２】
なお、第１（第２）のライン上にある複数の発光素子４とは、必ずしも表示モジュール２内の行又は列内の全ての発光素子４を指すものではない。すなわち輝度補正部１３は、必ずしも画素群Ａ（画素群Ｂ）を構成する画素全てに対して輝度補正を行うものではない。また、第１のライン、第２のラインは表示モジュール内の１行又は１列に限定されるものではなく、複数行又は複数列であってもよい。
【００２３】
画像分割部１４は、輝度補正部１３から入力される輝度補正後の画像データを複数の画像データに分割し（以下、分割画像データと呼ぶ）、複数の分割画像データをそれぞれ対応する各表示モジュール２に出力する。画像分割部１４は分割画像データと表示モジュール２との対応関係を把握している。
【００２４】
なお、画像分割部１４が画像データを分割せず、輝度補正部１３が輝度補正後の画像データをそのまま各表示モジュール２に出力してもよい。その場合、各表示モジュール２は、送られてきた画像データのうち自身が表示する分のデータのみを受け取る。
【００２５】
発光制御部２１は、画像分割部１４から出力される分割画像データの輝度を読み取り、読み取った輝度に基づき発光素子４を発光させる。分割画像データを構成する複数の画素のうち所定の画素（例えば図４における画素群Ａ）は、輝度補正部１３により輝度補正されているので、結果として、輝度補正された画素に対応する発光素子４（例えば図４における第１のライン上の発光素子４）の輝度は補正される。すなわち、輝度補正部１３において分割画像データを構成する画素の輝度が補正されるので、結果として、発光素子４の輝度が補正されることとなる。発光素子４が発光することにより、表示モジュール２には分割画像が表示され、画像表示装置３には分割画像が組み合わさった１つの画像（補正後の画像データに対応する画像）が表示される。
【００２６】
次に、図５乃至図９を用いて本発明の実施の形態１の動作を説明する。ここでは、図５に示す画像表示装置３を例に用いて説明する。図５に示す画像表示装置３は、発光素子４が１０行×１０列で配列されている表示モジュール２が２行×３列で配列されて構成される。発光素子４間の間隔値は４ｍｍである。この画像表示装置３を構成する表示モジュール２−５、２−６間の継ぎ目の間隔値は８ｍｍでその間隔は４ｍｍより広く、表示モジュール２−７、２−１０間の継ぎ目の間隔値は２ｍｍでその間隔は４ｍｍより狭くなっており、いずれも設置ずれが生じている。そのため、この画像表示装置３に輝度補正を施さない画像を表示させると、表示モジュール２−５、２−６間の継ぎ目部分に暗線が生じ、表示モジュール２−７、２−１０間の継ぎ目部分に明線が生じるので、画像表示装置３として画質の劣化が生じてしまうこととなる。
【００２７】
まず、図６に示すように、画像データが入力される前の制御装置１における輝度補正の設定処理動作について説明する（ステップＳ１からステップＳ４）。
【００２８】
表示モジュール２を配列して画像表示装置３が組み立てられると、制御装置１の外部から、隣り合う表示モジュール２間の継ぎ目の間隔値とその表示モジュール番号が輝度補正値出力部１２に入力される（ステップＳ１）。
【００２９】
隣り合う表示モジュール２間の継ぎ目の間隔値は、例えば表示モジュール２の設置担当者によって計測される。この設置担当者は、図５に示す表示モジュール２−５、２−６、表示モジュール２−６、２−７、表示モジュール２−５、２−８、・・のように、縦横各組の表示モジュール２について継ぎ目の間隔値を計測していく。ここでは表示モジュール２−５、２−６間及び表示モジュール２−７、２−１０間に設置ずれが生じているので、これらの表示モジュール番号とその継ぎ目の間隔値（８ｍｍ、２ｍｍ）が輝度補正値出力部１２に入力される。
【００３０】
設置ずれが生じている各組の継ぎ目の間隔値が入力されると、輝度補正値出力部１２は、各間隔値（８ｍｍ、２ｍｍ）に対応する輝度補正値をそれぞれ対応情報記憶部１１から取得する（ステップＳ２）。
【００３１】
対応情報記憶部１１には、図７のテーブル（a）に示すように、継ぎ目の間隔値に対応する輝度補正値が記憶されている。この輝度補正値は、間隔値が４ｍｍよりも大きい場合は画像データ入力時よりも輝度を高めるような値となり、間隔値が４ｍｍよりも小さい場合は画像データ入力時よりも輝度を低くするような値となっていればよく、具体的な値としては、例えば間隔値に比例するような値であってもよいし、経験則に基づいて決められてもよい。ここでは１例として、間隔値８ｍｍに対応する輝度補正値は８、間隔値２ｍｍに対応する輝度補正値は−３とされており、輝度補正部１３はこれら値を取得することとなる。なお、テーブル（a）では間隔値が１ｍｍ〜８ｍｍまで１ｍｍ単位で対応する輝度補正値が記憶されているが、これに限定するものではなく、間隔値の刻み幅、及び間隔値の範囲は任意に設定できるものとする。以下も同様である。
【００３２】
また、対応情報記憶部１１には、図７のテーブル（b）に示すように、継ぎ目の間隔値に対応して複数の輝度補正値が記憶されるようにしてもよい。この場合、輝度補正値は、例えば配列として記憶される。このように輝度補正値を配列とする場合においても、間隔値に応じた値となるのであれば、間隔値に比例するような値であっても、経験則に基づいて決められてもよい。ここでは１例として、間隔値８ｍｍに対応する輝度補正値はｋ８、間隔値２ｍｍに対応する輝度補正値はｋ２として対応情報記憶部１１に記憶されている。以下にこの設定方法の１例を示す。
【００３３】
まず、表示モジュール２間の継ぎ目の間隔値に拠らない任意の値であるベース値を複数決定する。ベース値の個数は、例えば発光素子４が１０行×１０列で表示モジュール２に配列されている場合、１０個に設定するとよい（番号１から番号１０）。図８の例では、ベース値は＋３、＋１、＋３、＋２、・・＋２と設定されている。発光素子４の数が縦横で異なる場合は（例えば１０行×１５列等）、１０個のベース値と１５個のベース値とを２種類用意しておけばよい。
【００３４】
このように設定した複数のベース値に、継ぎ目の間隔値に応じた係数をそれぞれ乗算する。例えば、継ぎ目の間隔値が４ｍｍよりも５０％増大すると１．５を乗算し、継ぎ目の間隔値よりも５０減少すると-１．５を乗算する。このように、ベース値が継ぎ目の間隔値に応じた係数で乗算されることにより輝度補正値が求められる。
【００３５】
図８の例では、継ぎ目の間隔値が８ｍｍの場合、間隔値は４ｍｍから１００％増大しているので、複数のベース値にそれぞれ係数２が乗算される。そのため、輝度補正値ｋ８は、＋６、＋２、＋６、＋４、・・＋４から構成される。継ぎ目の間隔値が２ｍｍの場合、間隔値は４ｍｍから５０％減少しているので、複数のベース値にそれぞれ係数−１．５が乗算される。そのため、輝度補正値ｋ２は、−４．５、−１．５、−４．５、−３、・・−３から構成される。
【００３６】
このように、対応情報記憶部１１には、図７のテーブル（a）、（b）に示したような輝度補正値、つまり、表示モジュール２間の継ぎ目の間隔値に対応した輝度補正値が記憶されているので、表示モジュール２の組によって継ぎ目の間隔値が異なる場合であっても、各表示モジュール２に好適な輝度補正を行うことができるようになる。つまり、ある表示モジュール２の組において継ぎ目部分に暗線が生じる場合は、それら表示モジュール２に対して輝度を高くする輝度補正値Ｆにより輝度補正する一方、別の表示モジュール２の組で継ぎ目の間隔がさらに広く、継ぎ目部分に生じる暗線が濃い場合は、それら表示モジュール２に対して、上記の輝度補正値Ｆよりも大きな値の輝度補正値により輝度補正することができる。また、別の表示モジュール２の組で継ぎ目の間隔が狭く継ぎ目部分に明線が生じる場合は、それら表示モジュール２に対して輝度を低くする輝度補正値により輝度補正することができる。
【００３７】
図４に戻って、輝度補正値出力部１２は、対応情報記憶部１１から取得した輝度補正値と、入力された間隔値に対応する表示モジュール番号とを輝度補正部１３に出力する（ステップＳ３）。
【００３８】
輝度補正部１３は、輝度補正値出力部１２から輝度補正値と表示モジュール番号とが入力されると、これらを保持して待機する（ステップＳ４）。以上により輝度補正の設定処理が終了する。
【００３９】
次に、輝度補正の設定処理が終了した後、制御装置１に画像データが入力されてから画像表示装置３に画像を表示するまでの処理動作について説明する（ステップＳ５からステップＳ８）。
【００４０】
輝度補正の設定処理の終了後、外部機器から画像データが入力されると（ステップＳ５）、輝度補正部１３は、輝度補正値に基づいて、画像データを構成する複数の画素のうち、表示モジュール２間の継ぎ目近傍に対応する位置にある画素の輝度を補正する（ステップＳ６）。
【００４１】
輝度補正部１３は、輝度補正値出力部１２から、図７のテーブル(a)に示す輝度補正値が入力された場合、図９に示すように、画像データを構成する複数の画素のうち、表示モジュール２−５内であって表示モジュール２−６に隣接するライン（最右列）上にある複数の発光素子４に対応する複数の画素（画素群Ａ１）に対して、間隔値８ｍｍに対応する輝度補正値８を加算する。この画素群Ａ１は、より具体的には、画像データ上の１行１０列目から１０行１０列目を指す。
【００４２】
このように、輝度補正値出力部１２は、入力された間隔値が表示モジュール２内の発光素子４間の間隔値よりも大きい場合は、表示モジュール２−５内であって表示モジュール２−６に隣接するライン上の複数の発光素子４に対応する複数の画素（画素群Ａ１）の輝度を、入力時の輝度よりも高くするよう、継ぎ目の間隔値８ｍｍに対応した輝度補正値として８を出力し、輝度補正部１３はこの輝度補正値８を画素群Ａ１を構成する複数の画素に加算するので、表示モジュール２−５と表示モジュール２−６間の継ぎ目部分に生じる暗線に対して好適な輝度補正を行うことができ、目立たなくすることができる。
【００４３】
また上記したように、輝度補正部１３は、表示モジュール２−６内であって表示モジュール２−５に隣接するライン（最左列）上にある複数の発光素子４に対応する複数の画素（画素群Ｂ１）に対して輝度補正値８を加算してもよい。この画素群Ｂ１は、より具体的には画像データ上の１行１１列目から１０行１１列目を指す。
【００４４】
このように、輝度補正値出力部１２は、入力された間隔値が表示モジュール２内の発光素子４間の間隔値よりも大きい場合、表示モジュール２−６内であって表示モジュール２−５に隣接するライン上の複数の発光素子４に対応する複数の画素（画素群Ｂ１）の輝度を、入力時の輝度よりも高くするよう、輝度補正値８を出力してもよく、その場合輝度補正部１３はこの輝度補正値８を画素群Ｂ１を構成する複数の画素に加算する。そうすることにより、表示モジュール２−５、２−６間の継ぎ目部分の両側にある発光素子４に表示させる画素群Ａ１及び画素群Ｂ１の輝度を補正するので、継ぎ目部分に生じた暗線をバランスよく目立たなくすることができる。
【００４５】
また、輝度補正部１３は、同様に、画素群Ｃ１、Ｄ１（画像データ上の１０行２１列目から１０行３０列目及び１１行２１列目から１１行３０列目に対応）にある画素の輝度に対し、間隔値２ｍｍに対応した輝度補正値−３を加算する。
【００４６】
このように、輝度補正値出力部１２は、入力された間隔値が表示モジュール２内の発光素子４間の間隔値よりも小さい場合は、表示モジュール２−７内であって表示モジュール２−１０に隣接するライン上の複数の発光素子４に対応する複数の画素（画素群Ｃ１）の輝度を、入力時の輝度よりも低くするよう、間隔値２ｍｍに対応する輝度補正値−３を出力し、輝度補正部１３はこの輝度補正値−３を画素群Ｃ１を構成する複数の画素に加算するので、表示モジュール２−７と表示モジュール２−１０間の継ぎ目部分に生じる明線に対して好適な輝度補正を行うことができ、目立たなくすることができる。画素群Ｄ１についても同様である。
【００４７】
輝度補正部１３は、輝度補正値出力部１２から図７のテーブル(b)に示す輝度補正値が入力された場合、図１０に示すように、画素群Ａ１（またはＢ１、もしくはその両方）に対して輝度補正値ｋ８を加算し、画素群Ｃ１（またはＤ１、もしくはその両方）に対して輝度補正値ｋ２を加算する。この場合、輝度補正される複数の画素のうち、一部の画素と他の画素とで異なる輝度補正値が加算されることとなる。例えば画素群Ａ１を構成する複数の画素のうち、一部の画素には輝度補正値６が加算され、別の一部の画素には２が加算され、他の画素には輝度補正値４が加算される。また、画素群Ｃ１を構成する複数の画素のうち、一部の画素には輝度補正値−４．５が加算され、別の一部の画素には輝度補正値−１．５、他の画素には輝度補正値−３が加算される。
【００４８】
このように、輝度補正値出力部１２が、表示モジュール２のライン上にある複数の発光素子に対応する複数の画素（画素群Ａ１、Ｂ１、Ｃ１、Ｄ１）のうち、一部の画素と他の画素とで異なる輝度補正値を出力し、輝度補正部１３がこの輝度補正値に基づいて輝度補正を行った場合についても、表示モジュール２間の継ぎ目部分に生じる暗線又は明線に対して間隔値に応じた好適な輝度補正が行うことができ、目立たなくすることができる。
【００４９】
そして、輝度補正部１３は、輝度補正値を加算した後の（輝度補正後の）画像データを画像分割部１４に出力する。
【００５０】
画像分割部１４は、入力された画像データを複数の分割画像データに分割し、対応する表示モジュール２にそれぞれ出力する（ステップＳ７）。
【００５１】
分割画像データが各表示モジュール２に入力されると、発光制御部２１は、分割画像データを構成する各画素の輝度を読み出す。そして、発光制御部２１は、読み出した輝度で各発光素子４を発光させ、表示モジュール２に分割画像を表示する（ステップＳ８）。
【００５２】
このとき、表示モジュール２に入力される分割画像データのうち画素群Ａ１、Ｂ１、Ｃ１、Ｄ１は輝度補正されているので、表示モジュール２−５の最右列にある発光素子４、表示モジュール２−６の最左列にある発光素子４は輝度が高くなるよう補正され、表示モジュール２−７の最下行にある発光素子４、表示モジュール２の最上行にある発光素子４は輝度が低くなるよう補正されることとなる。
【００５３】
その結果、画像表示装置３の画面全体として見た場合に、表示モジュール２−５、２−６間の継ぎ目部分に生じる暗線は、その継ぎ目近傍にある発光素子４の輝度が間隔値に応じて高くなるよう補正されているので、目立たなくなる。また、表示モジュール２−７、２−１０間の継ぎ目部分に生じる明線は、その継ぎ目近傍にある発光素子４の輝度が間隔値に応じて低くなるよう補正されているので、目立たなくなる。
【００５４】
以上のように、本発明の実施の形態１によれば、設置ずれが生じている表示モジュール２に対し、継ぎ目の間隔値に応じた輝度補正値で継ぎ目近傍における発光素子の輝度が補正されるので、表示モジュール２の組によって継ぎ目の間隔が異なる場合であっても、それぞれに好適な輝度補正が行われ、画像表示装置３に表示される画像全体としての継ぎ目部分を目立たなくし画質の劣化を防止することができる。
【００５５】
また、表示モジュール２間の継ぎ目の間隔値が発光素子４間よりも狭い場合には、その継ぎ目近傍にある発光素子４の輝度を低くするよう輝度補正が行われるので、継ぎ目部分の明線を目立たなくし、画質劣化を防止することができる。
【００５６】
また、表示モジュール２間の継ぎ目部分の両側にある発光素子４に表示させる複数の画素の輝度を補正することもでき、継ぎ目部分に生じる暗線又は明線をバランスよく目立たなくすることができる。
【００５７】
なお、これまで輝度補正値は対応情報記憶部１１に記憶され、輝度補正値出力部１２が対応情報記憶部１１から輝度補正値を取得して輝度補正部１３に出力することとしたが、何もこれに限定するわけではない。輝度補正値出力部１２が、継ぎ目の間隔値が入力されると、その間隔値に対応した輝度補正値を生成し、その生成した輝度補正値を輝度補正部１３に出力することとしてもよい。これは以下も同様である。
【００５８】
ここで、対応情報記憶部１１には、図１１のテーブル(c)に示すように、継ぎ目の間隔値に対応するとともに所定値以上の輝度差を有する複数の輝度補正値が記憶されるようにしてもよい。ここでは５以上の輝度差を持たせることとする。テーブル(c)には２つの輝度補正値の配列が記憶されることになり、例えば間隔値８ｍｍの場合、輝度補正値ｋ１０は、＋８、＋１、＋８、＋１、・・＋１の配列と、＋１、＋８、＋１、＋８、・・＋８の配列とが設定され、輝度差は７となる。間隔値２ｍｍの場合は、輝度補正値ｋ９は、−６、−１、−６、−１、・・−１の配列と、−１、−６、−１、−６、・・−６の配列とが設定され、輝度差は５となる。そのため、輝度補正値ｋ９、ｋ１０とも５以上の輝度差を有する。
【００５９】
また、所定の輝度差を持たせるため、図１１のテーブル(d)に示すよう、複数の輝度補正値のうち一部に逆符号の輝度補正値を用いてもよい。例えば間隔値８ｍｍの場合、輝度補正値ｋ１２は、＋５、−２、＋５、−２、・・−２の配列と、−２、＋５、−２、＋５、・・＋５の配列とが設定され、輝度差は７となる。間隔値２ｍｍの場合、輝度補正値ｋ１１は、−４、＋１、−４、＋１、・・＋１の配列と、＋１、−４、＋１、−４、・・−４の配列とが設定され、輝度差は５となる。そのため、輝度補正値ｋ１１、ｋ１２とも５以上の輝度差を有する。ただし、このように両符号の輝度補正値を用いる場合であっても、輝度補正される画素群全体としては、表示モジュール２間の間隔値が発光素子４間の間隔値よりも大きい場合は、入力時よりも輝度が高くなり、表示モジュール２間の間隔値が発光素子４の間隔値より小さい場合は、入力時よりも輝度が低くなるようにしなければならない。そのため、ある表示モジュール２間の間隔値が８ｍｍの場合において、輝度補正値は＋５、−２、＋５、−２、・・−２の配列であればよいが、画素群全体としての輝度を低くする−５、＋２、−５、＋２、・・−５の配列であってはならない。
【００６０】
なお、ここでは所定の輝度差を５以上に設定して説明したが、この所定の輝度差をどの程度持たせるかについては、例えば試験等によって好適な値を事前に算出しておけばよく、また、経験則に基づく値であってもよい。
【００６１】
輝度補正値出力部１２が例えば輝度補正値ｋ１０を出力した場合、輝度補正部１３は、図１１に示すように、画素群Ａ１の一部の画素には輝度補正値８を加算し、他の画素には輝度補正値１を加算する。そのため、画素群Ａ１の一部の画素に加算される輝度補正値は、他の画素に加算される輝度補正値よりも所定の輝度差７高い値である。また、画素群Ａ１内の輝度補正値１が加算された画素に隣接する画素群Ｂ１内の画素に対しては輝度補正値８を加算し、画素群Ａ１内の輝度補正値８が加算された画素に隣接する画素群Ｂ１内の画素に対しては所定の輝度差７低い輝度補正値１を加算しする。
【００６２】
また、輝度補正値出力部１２が輝度補正値ｋ１２を出力した場合、輝度補正部１３は、図１２に示すように、画素群Ａ１の一部の画素には輝度補正値＋５を加算し、他の画素には輝度補正値−２を加算する。そのため、画素群Ａ１の一部の画素に加算される輝度補正値は、他の画素に加算される輝度補正値よりも所定の輝度差７高い値である。また、画素群Ａ１内の輝度補正値−２が加算された画素に隣接する画素群Ｂ１内の画素に対しては輝度補正値＋５を加算し、画素群Ａ１内の輝度補正値＋５が加算された画素に隣接する画素群Ｂ１内の画素に対しては所定の輝度差７低い輝度補正値−２を加算する。
【００６３】
このように、輝度補正値出力部１２が、画素群Ａ１を構成する複数の画素のうち、一部の画素に出力する輝度補正値を、他の画素に出力する輝度補正値よりも所定の差高い値になるとともに、画素群Ａ１に隣接する画素群Ｂ１を構成する複数の画素のうち、画素群Ａ１の一部の画素に隣り合う画素に出力する輝度補正値を、画素群Ａ１の他の画素に隣り合う画素に出力する輝度補正値よりも所定の差低い値とし、輝度補正部１３がこの輝度補正値に基づいて輝度補正を行うことにより、継ぎ目近傍にある複数の発光素子４の輝度が間引かれて補正されることになるので、表示モジュール内における継ぎ目近傍と中央部分（継ぎ目近傍以外の部分）との間に生じる境界線の発生を防ぎ、画質の劣化をさらに防止することができる。
【００６４】
すなわち、表示モジュール２間の間隔が広くなった場合において、継ぎ目近傍にある全ての発光素子４の輝度が入力時よりも高くなるよう補正されると、継ぎ目部分の暗線は目立たなくなるものの、場合によっては表示モジュール内の中央部分と継ぎ目近傍との間で輝度差が大きくなり（継ぎ目近傍が明るくなりすぎてしまい）、これら領域の間に境界線が生じてしまうことがある。しかし、上記したよう継ぎ目近傍にある発光素子４の輝度を間引いて補正することにより、継ぎ目部分の暗線を目立たなくすることができるとともに、表示モジュール内における中央部分と継ぎ目近傍との間に生じる境界線の発生を防ぐことも可能となり、画質の劣化をさらに防止することができる。これは、表示モジュール間の継ぎ目近傍における明線の発生を防止する場合においても同様である。
【００６５】
なお、ここでは画素群を構成する一部の画素に出力する輝度補正値と、他の画素に出力する輝度補正値とで所定の輝度差を持たせるため、図１１のテーブル（c）、（d）に示すような、所定の輝度差を有する輝度補正値が互い違いに配列された値を用いたが、これに限定されるものではなく、例えば＋８、＋１、＋１、＋８、・・＋１のように、非周期的であってもよいし、＋８、＋３、＋１、＋３、＋８、・・のように段階的に輝度差を持たせるように配列されたものであってもよい。
【００６６】
実施の形態２．
以下図面を用いて本発明の実施の形態２について説明する。図１４は実施の形態２に係る画像表示システムの構成図を示す。図１５は実施の形態２に係る動作を示すフローチャートを示す。実施の形態１の画像表示システムの構成に相当する部分には図１と同一符号を付してその説明を省略する。
【００６７】
実施の形態２の画像表示システムは、図１４に示すように、各表示モジュール２に輝度補正値記憶部２２と輝度補正部２３とが備えられ、画像データの輝度補正を表示モジュール２にて行う点において実施の形態１と異なる。
【００６８】
輝度補正値記憶部２２には、制御装置１の輝度補正値出力部１１から入力された第１の表示モジュールと第２の表示モジュールとの間の継ぎ目の間隔値に対応する輝度補正値と表示モジュール番号が記憶される。
【００６９】
輝度補正部２３は、制御装置１の画像分割部１４から分割画像データが入力されると、輝度補正値記憶部２２から得た輝度補正値と表示モジュール番号とに基づいて、分割画像データを構成する複数の画素のうち、第１の表示モジュールと第２の表示モジュールとの継ぎ目近傍にある発光素子４に対応する画素の輝度を補正する。すなわち、第１の表示モジュール内の輝度補正部２３は、入力された分割画像データを構成する複数の画素のうち、第１の表示モジュール内であって第２の表示モジュールに隣接する第１のライン上の複数の発光素子４に対応する複数の画素の輝度を補正する。第２の表示モジュール内の輝度補正部２３は、入力された分割画像データを構成する複数の画素のうち、第２の表示モジュール内であって第１の表示モジュールに隣接する第２のライン上の複数の発光素子４に対応する複数の画素の輝度を補正する。
【００７０】
なお、実施の形態１と同様に、第１（第２）のライン上にある複数の発光素子４とは、必ずしも表示モジュール２内の行又は列内の全ての発光素子４を指すものではなく、また、第１（第２）のラインは表示モジュール内の１行又は１列に限定されるものでなく複数行又は複数列であってもよい。
【００７１】
図１４及び図１５を用いて本発明の実施の形態２における動作を説明する。本動作を説明する例として、実施の形態１と同様、図５に示す画像表示装置３を用いる。表示モジュール２間の継ぎ目の間隔値、設置ずれが生じている表示モジュール２の組等の条件も実施の形態１と同様とする。
【００７２】
まず、画像データが入力される前の表示モジュール２における輝度補正の設定処理動作について説明する（ステップＳ０１からステップＳ０５）。
【００７３】
表示モジュール２を配列して画像表示装置３が組み立てられると、制御装置１の外部から、図５に示す表示モジュール２−５、２−６間の継ぎ目の間隔値（８ｍｍ）、表示モジュール２−７、２−１０間の継ぎ目の間隔値（２ｍｍ）、及びこれら継ぎ目の間隔値に対応する表示モジュール番号が輝度補正値出力部１２に入力される（ステップＳ０１）。
【００７４】
輝度補正値出力部１２は、入力された継ぎ目の間隔値（８ｍｍ、２ｍｍ）に対応する輝度補正値を対応情報記憶部１１から取得する（ステップＳ０２）。
【００７５】
そして、輝度補正値出力部１２は、表示モジュール２−５、２−６の輝度補正値記憶部２２に、間隔値８ｍｍに対応する輝度補正値と表示モジュール番号とを出力し、表示モジュール２−７、２−１０の輝度補正値記憶部２２に、間隔値２ｍｍに対応する輝度補正値と表示モジュール番号とを出力する（ステップＳ０３）。
【００７６】
各表示モジュール２−５、２−６、２−７、２−１０は、輝度補正値出力部１２から、間隔値に対応する輝度補正値と表示モジュール番号とが入力され、輝度補正値記憶部２２にこれらが記憶されると（ステップＳ０４）、輝度補正部２３は、輝度補正値記憶部２２からこれら情報を取得して保持し、待機する（ステップＳ０５）。以上により輝度補正の設定処理が完了となる。
【００７７】
次に、輝度補正の設定処理が終了した後、制御装置１に画像データが入力されてから画像表示装置３に画像を表示するまでの処理動作について説明する（ステップＳ０６からステップＳ０９）。
【００７８】
輝度補正の設定処理の完了後、外部機器から画像データが入力されると（ステップＳ０６）、画像分割部１４は、入力された画像データを複数の分割画像データに分割し、それぞれ対応する表示モジュール２の輝度補正部２３に出力する（ステップＳ０７）。
【００７９】
各表示モジュール２−５、２−６、２−７、２−１０の輝度補正部２３は、保持していた輝度補正値に基づいて、分割画像データを構成する複数の画素のうち、継ぎ目近傍に対応する位置の画素の輝度を補正する（ステップＳ０８）。例えば表示モジュール２−５にある輝度補正部２３は、入力された輝度補正値と表示モジュール番号に基づいて、入力される分割画像データを構成する複数の画素のうち、表示モジュール２−５内であって、表示モジュール２−６に隣接するライン上の発光素子４に対応する画素（最右列にある画素）の輝度を補正する。他の表示モジュール２についても同様で、表示モジュール２−６では最左列、表示モジュール２−７では最下行、表示モジュール２−１０では最上行にある画素の輝度が補正される。
【００８０】
各表示モジュール２−５、２−６、２−７、２−１０の発光制御部２３は、輝度補正された分割画像データを構成する各画素の輝度を読み出す。そして、読み出した輝度で各発光素子４を発光させ、各表示モジュールに分割画像を表示する（ステップＳ０９）。このとき、表示モジュール２−５の最右列、表示モジュール２−６の最左列にある発光素子４の輝度は分割画像データ入力時よりも高くなり、表示モジュール２−７の最下行、表示モジュール２−１０の最上行にある発光素子４の輝度は分割画像データ入力時よりも低くなるよう補正されている。
【００８１】
その結果、画像表示装置３の画面全体として見た場合に、表示モジュール２−５、２−６間の継ぎ目部分に生じる暗線は、その継ぎ目近傍にある発光素子４の輝度が高くなるよう補正されているので、目立たなくなる。また、表示モジュール２−７、２−１０間の継ぎ目部分に生じる明線は、その継ぎ目近傍にある発光素子４の輝度が小さくなるよう補正されているので、目立たなくなる。
【００８２】
以上のように、本発明の実施の形態２によれば、実施の形態１と同様、設置ずれが生じている表示モジュール２に対し、継ぎ目の間隔値に応じた輝度補正値で継ぎ目近傍における発光素子の輝度が補正されるので、表示モジュール２の組によって継ぎ目の間隔が異なる場合であっても、それぞれに好適な輝度補正が行われ、画像表示装置３に表示される画像全体としての継ぎ目部分を目立たなくし画質の劣化を防止することができる。
【００８３】
また、表示モジュール２間の継ぎ目の間隔値が発光素子４間よりも狭い場合には、その継ぎ目近傍にある発光素子４の輝度を低くするよう輝度補正が行われるので、継ぎ目部分の明線を目立たなくし、画質劣化を防止することができる。
【００８４】
また、表示モジュール２間の継ぎ目部分の両側にある発光素子４に表示させる複数の画素の輝度を補正することもでき、継ぎ目部分に生じる暗線又は明線をバランスよく目立たなくすることができる。
【００８５】
実施の形態３．
以下図面を用いて本発明の実施の形態３について説明する。図１６は実施の形態３に係る画像表示システムの構成図を示す。図１７は実施の形態３に係る撮像画像解析部の構成図を示す。図１８は実施の形態３に係る継ぎ目の間隔値の算出処理動作を示すフローチャートを示す。図１９は実施の形態３に係る撮像画像データに対応する画像表示装置を直交座標系で表した図を示す。実施の形態１の画像表示システムの構成に相当する部分には図１と同一符号を付してその説明を省略する。
【００８６】
実施の形態３の画像表示システムは、外部のカメラ等の撮像装置により表示モジュール２が組み立てられた画像表示装置３が撮像され、制御装置１がその撮像画像データを解析することにより継ぎ目の間隔値を算出する点で実施の形態１と異なる。
【００８７】
図１６に示すように、制御装置１に備えられる撮像画像解析部１５は、撮像画像データが入力されると、入力された撮像画像データを解析して設置ずれが生じている表示モジュール２間の継ぎ目の間隔値を算出し、輝度補正値出力部１２に出力する。撮像画像解析部１５は、図１７に示すように、撮像画像データ入力部１５０と、間隔値算出部１５１と、設置ずれ判定部１５２とを備える。
【００８８】
撮像画像データ入力部１５０は、撮像装置から撮像画像データが入力されるインタフェースであり、入力された撮像画像データを間隔値算出部１５１に出力する。
【００８９】
間隔値算出部１５１は、撮像画像データ入力部１５０から出力された撮像画像データから、撮像画像データの画像表示装置３を構成する第１の表示モジュールと、第１の表示モジュールに隣り合う第２の表示モジュールとの間の継ぎ目の間隔値と、表示モジュール２内の隣り合う発光素子４間の間隔値とを算出する。算出方法の詳細については後述する。
【００９０】
設置ずれ判定部１５２は、間隔値算出部１５１で算出された表示モジュール２間の継ぎ目の間隔値と発光素子４間の間隔値とを比較し、表示モジュール２間で設置ずれが生じているか否かを判定する。設置ずれが生じていると判定した場合は表示モジュール２間の継ぎ目の間隔値と表示モジュール番号とを輝度補正値出力部１２に出力する。設置ずれが生じていないと判定した場合は設置ずれがないことを示す信号を輝度補正値出力部１２に出力する。
【００９１】
図１６乃至図１９を用いて、撮像画像データ解析部１５による間隔値の算出処理の動作について説明する。
【００９２】
撮像画像データ入力部１５０は、撮像画像データが入力されると（ステップＳ００１）、その撮像画像データを間隔値算出部１５１に出力する。撮像画像データは、複数の表示モジュール２を配列して構成された画像表示装置３であって、各表示モジュール２の四隅にある発光素子４が発光している状態の画像のデータである必要がある。ここでは、図１９に示すように、複数の発光素子４が配列された表示モジュール２がＮ行×Ｎ列に配列された画像表示装置３の撮像画像データを用いて以下説明を行う。
【００９３】
間隔値算出部１５１は、入力された撮像画像データの画像表示装置３の縦横が水平垂直になるように座標変換処理を行い、その直交座標系におけるｘｙ座標を用いて画像データを解析することにより発光素子４間の間隔値、表示モジュール２間の継ぎ目の間隔値を算出する。
【００９４】
まず、間隔値算出部１５１は、各表示モジュール４内の発光している四隅の発光素子４のｘｙ座標に基づいて、発光素子４間の間隔値を算出する（ステップＳ００２）。図１９に示すように、表示モジュール２−１１の左上隅の発光素子４の座標(0,0)と、表示モジュール２−１Ｎの右上隅の発光素子４の座標(c,0)とを目印に、画像表示装置３の横の長さcを算出する。ここでは値ｃは実際の画像表示装置３の横の長さの値と等しいものとする。
【００９５】
次に、この長さｃを、画像表示装置３の１つの行の中に存在する発光素子４の数から１引いた数で割ると、発光素子４間の間隔値が求められる。例えば図１９に示す画像表示装置３では、１つの表示モジュール２内の１つの行の中には１０個の発光素子４が配列されているので、画像表示装置３の１つの行の中に存在する発光素子４の数は１０Ｎ個となる。そのため、発光素子４間の間隔値はc/(10N-1)となる。縦方向の発光素子４間の間隔値についても同様である。
【００９６】
図１８に戻って、間隔値算出部１５１は、次に、表示モジュール２間の継ぎ目の間隔値を算出する（ステップＳ００３）。ここでは、表示モジュール２−１１の右上隅の発光素子４の座標（a,0）と、表示モジュール２−１２の左上隅の発光素子４の座標(b,0)とを目印に、表示モジュール２−１１、２−１２間の継ぎ目の間隔値(b-a)を算出する。間隔値算出部１５１は、算出した発光素子４間の間隔値c/(10N-1)と、表示モジュール２−１１、２−１２間の継ぎ目の間隔値(b-a)とを設置ずれ判定部１５２に出力する。
【００９７】
設置ずれ判定部１５２は、発光素子４間の間隔値c/(10N-1)と、表示モジュール２−１１、２−１２間の継ぎ目の間隔値(b-a)とを比較し、表示モジュール２−１１、２−１２間に設置ずれがないか否かを判定する（ステップＳ００４）。
【００９８】
両者が同一の値である場合（ステップＳ００５−Ｙｅｓ）、設置ずれ判定部１５２は、表示モジュール２−１１、２−１２間には設置ずれがないと判定する（ステップＳ００６）。
【００９９】
両者が同一の値でない場合（ステップＳ００５−Ｎｏ）、設置ずれ判定部１５２は、表示モジュール２−１１、２−１２間には設置ずれがあると判定する（ステップＳ００７）。そして、設置ずれ判定部１５２は、表示モジュール２−１１、２−１２間の継ぎ目の間隔値(b-a)を輝度補正値出力部１２に出力する（ステップＳ００８）。
【０１００】
全ての表示モジュール２の組についての上記処理が完了すると（ステップＳ００９−Ｙｅｓ）、撮像画像データ解析部１５は、表示モジュール２間の継ぎ目の間隔値の算出処理を終了する。全ての表示モジュール２の組について上記処理が完了していなければ（ステップＳ００９−Ｎｏ）、撮像画像データ解析部１５は、表示モジュール２−１１、２−１２とは異なる組の表示モジュール２に対して、ステップＳ００３からの処理を繰り返し行う。
【０１０１】
このように撮像画像解析部１５にて算出された表示モジュール２間の継ぎ目の間隔値に基づいて、制御装置１にて輝度補正の設定処理、輝度補正処理が行われるが、これら処理については実施の形態１と同様であるので説明を省略する。
【０１０２】
以上のように、本発明の実施の形態３によれば、撮像画像解析部１５は、撮像装置で撮像された画像表示装置３の撮像画像データを解析することにより、設置ずれが生じている表示モジュール２間の継ぎ目の間隔値を算出するので、実施の形態１の効果に加えて、設置担当者の作業負荷を大きく軽減することができるという効果を奏する。すなわち、設置担当者は、各表示モジュール２間の継ぎ目の間隔値を１つ１つ計測する必要がなくなり、撮像装置で撮像した画像表示装置３の撮像画像データを制御装置１に出力するのみで輝度補正の設定処理が自動的に完了するので、作業負荷を大きく軽減することができる。
【０１０３】
なお、実施の形態２における制御装置１についても、撮像画像解析部１５を備えることにより本実施の形態と同様の効果を奏することが可能である。
【符号の説明】
【０１０４】
１          制御装置
１１      対応情報記憶部
１２      輝度補正値出力部
１３      輝度補正部
１４      画像分割部
１５      撮像画像解析部
１５０  撮像画像データ入力部
１５１  間隔値算出部
１５２  設置ずれ判定部
２          表示モジュール
２１      発光制御部
２２      輝度補正値記憶部
２３      輝度補正部
３          画像表示装置
４          発光素子
【図１】
2013051063.tif 000003
【図２】
2013051063.tif 000004
【図３】
2013051063.tif 000005
【図４】
2013051063.tif 000006
【図５】
2013051063.tif 000007
【図６】
2013051063.tif 000008
【図７】
2013051063.tif 000009
【図８】
2013051063.tif 000010
【図９】
2013051063.tif 000011
【図１０】
2013051063.tif 000012
【図１１】
2013051063.tif 000013
【図１２】
2013051063.tif 000014
【図１３】
2013051063.tif 000015
【図１４】
2013051063.tif 000016
【図１５】
2013051063.tif 000017
【図１６】
2013051063.tif 000018
【図１７】
2013051063.tif 000019
【図１８】
2013051063.tif 000020
【図１９】
2013051063.tif 000021
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
入力された画像データの輝度を補正して補正後の画像データを出力する制御装置と、複数の発光素子が配列され前記制御装置からの前記補正後の画像データが入力される複数の表示モジュールとを備え、前記複数の表示モジュールを配列して構成される画像表示装置に前記補正後の画像データに対応する画像を表示させる画像表示システムであって、
前記制御装置は、
前記複数の表示モジュールのうちの第１の表示モジュールと、この第１の表示モジュールに隣り合う前記複数の表示モジュールのうちの第２の表示モジュールとの間の間隔値が入力された場合に、この入力された間隔値に対応し前記画像データの輝度を補正するための輝度補正値を出力する輝度補正値出力部と、
この輝度補正値出力部から出力された前記輝度補正値に基づいて、前記画像データを構成する複数の画素のうち、前記第１の表示モジュール内であって前記第２の表示モジュールに隣接する第１のライン上にある複数の前記発光素子に対応する複数の画素の輝度を補正する輝度補正部とを備え、
前記輝度補正値出力部は、前記第１のライン上にある前記複数の発光素子に対応する前記複数の画素のうち、一部の画素と他の画素とで前記輝度補正値を異なる値とすることを特徴とする画像表示システム。
【請求項２】
前記輝度補正値出力部は、前記入力された間隔値が前記表示モジュール内の隣り合う前記発光素子間の間隔値よりも大きい場合は、前記第１のライン上にある前記複数の発光素子に対応する前記複数の画素の輝度を入力時の輝度よりも高くする輝度補正値を出力し、前記入力された間隔値が前記表示モジュール内の隣り合う前記発光素子間の間隔値よりも小さい場合は、前記第１のライン上にある前記複数の発光素子に対応する前記複数の画素の輝度を入力時の輝度よりも低くする輝度補正値を出力することを特徴とする請求項１に記載の画像表示システム。
【請求項３】
前記輝度補正部は、前記輝度補正値出力部から出力された前記輝度補正値に基づいて、前記画像データを構成する複数の画素のうち、前記第２の表示モジュール内であって前記第１のラインに隣接する第２のライン上にある複数の前記発光素子に対応する複数の画素の輝度を補正することを特徴とする請求項１又は２に記載の画像表示システム。
【請求項４】
前記輝度補正値出力部は、前記入力された間隔値が隣り合う前記発光素子間の間隔値よりも大きい場合は、前記第２のライン上にある前記複数の発光素子に対応する前記複数の画素の輝度を入力時の輝度よりも高くする輝度補正値を出力し、
前記入力された間隔値が隣り合う前記発光素子間の間隔値よりも小さい場合は、前記第２のライン上にある前記複数の発光素子に対応する前記複数の画素の輝度を入力時の輝度よりも低くする輝度補正値を出力することを特徴とする請求項３に記載の画像表示システム。
【請求項５】
前記輝度補正値出力部は、前記第１のライン上にある前記複数の発光素子に対応する前記複数の画素のうち、一部の画素に出力する輝度補正値を他の画素に出力する輝度補正値よりも所定の差高い値とするとともに、
前記第２のライン上にある前記複数の発光素子に対応する複数の画素のうち、前記第１のライン上にある前記複数の発光素子に対応する前記複数の画素のうちの前記一部の画素に隣接する画素に出力する輝度補正値を、前記第１のライン上にある前記複数の発光素子に対応する前記複数の画素のうちの前記他の画素に隣接する画素に出力する輝度補正値よりも所定の差低い値とすることを特徴とする請求項３又は４に記載の画像表示システム。
【請求項６】
前記制御装置は、撮像装置により撮像された前記画像表示装置の撮像画像データに基づいて前記第１の表示モジュールと前記第２の表示モジュールとの間の間隔値を算出し、前記輝度補正値出力部に出力する撮像画像解析部を備えることを特徴とする請求項１乃至５のいずれかに記載の画像表示システム。
【請求項７】
前記撮像画像解析部は、
前記撮像画像データから前記第１の表示モジュールと前記第２の表示モジュール間の間隔値と、前記表示モジュール内の隣り合う前記発光素子間の間隔値とを算出する間隔値算出部と、
前記間隔値算出部により算出された前記表示モジュール間の間隔値と前記発光素子間の間隔値とを比較して設置ずれを判定し、設置ずれが生じていると判定した場合には前記表示モジュール間の間隔値を前記輝度補正値出力部に出力する設置ずれ判定部とを有することを特徴とする請求項６に記載の画像表示システム。
【請求項８】
入力された画像データの輝度を補正して補正後の画像データを複数の発光素子が配列された複数の表示モジュールに出力し、前記複数の表示モジュールを配列して構成される画像表示装置に前記補正後の画像データに対応する画像を表示させる制御装置であって、
前記複数の表示モジュールのうちの第１の表示モジュールと、この第１の表示モジュールに隣り合う前記複数の表示モジュールのうちの第２の表示モジュールとの間の間隔値が入力された場合に、前記入力された間隔値に対応し前記画像データの輝度を補正するための輝度補正値を出力する輝度補正値出力部と、
この輝度補正値出力部から出力された前記輝度補正値に基づいて、前記画像データを構成する複数の画素のうち、前記第１の表示モジュール内であって前記第２の表示モジュールに隣接する第１のライン上にある複数の前記発光素子に対応する複数の画素の輝度を補正する輝度補正部とを備え、
前記輝度補正値出力部は、前記第１のライン上にある前記複数の発光素子に対応する前記複数の画素のうち、一部の画素と他の画素とで前記輝度補正値を異なる値とすることを特徴とする制御装置。
【請求項９】
複数配列されて画像を表示する画像表示装置を構成するとともに、複数の発光素子が配列された表示モジュールであって、
隣り合う表示モジュールとの間の間隔値に対応し、入力される画像データの輝度を補正するための輝度補正値が記憶される輝度補正値記憶部と、
前記輝度補正値記憶部に記憶される前記輝度補正値に基づき、前記画像データを構成する複数の画素のうち、前記隣り合う表示モジュールに隣接するライン上にある複数の前記発光素子に対応する複数の画素の輝度を補正する輝度補正部とを備え、
前記ライン上にある前記複数の前記発光素子に対応する前記複数の画素のうち、一部の画素と他の画素とで前記輝度補正値が異なる値として前記輝度補正値記憶部に記憶されることを特徴とする表示モジュール。
【請求項１０】
前記輝度補正値記憶部に記憶される前記輝度補正値は、前記間隔値が前記表示モジュール内の隣り合う前記発光素子間の間隔値よりも大きい場合は、前記ライン上にある複数の前記発光素子に対応する前記複数の画素の輝度を入力時よりも高くする値であり、前記間隔値が前記表示モジュール内の隣り合う前記発光素子間の間隔値よりも小さい場合は、前記ライン上にある複数の前記発光素子に対応する前記複数の画素の輝度を入力時よりも低くする値であることを特徴とする請求項９に記載の表示モジュール。
【手続補正２】
【補正対象書類名】明細書
【補正対象項目名】０００７
【補正方法】変更
【補正の内容】
【０００７】
本発明に係る画像表示システムは、入力された画像データの輝度を補正して補正後の画像データを出力する制御装置と、複数の発光素子が配列され前記制御装置からの前記補正後の画像データが入力される複数の表示モジュールとを備え、前記複数の表示モジュールを配列して構成される画像表示装置に前記補正後の画像データに対応する画像を表示させる画像表示システムであって、前記制御装置は、前記複数の表示モジュールのうちの第１の表示モジュールと、この第１の表示モジュールに隣り合う前記複数の表示モジュールのうちの第２の表示モジュールとの間の間隔値が入力された場合に、この入力された間隔値に対応し前記画像データの輝度を補正するための輝度補正値を出力する輝度補正値出力部と、この輝度補正値出力部から出力された前記輝度補正値に基づいて、前記画像データを構成する複数の画素のうち、前記第１の表示モジュール内であって前記第２の表示モジュールに隣接する第１のライン上にある複数の前記発光素子に対応する複数の画素の輝度を補正する輝度補正部とを備え、前記輝度補正値出力部は、前記第１のライン上にある前記複数の発光素子に対応する前記複数の画素のうち、一部の画素と他の画素とで前記輝度補正値を異なる値とすることを特徴とする。
【手続補正３】
【補正対象書類名】明細書
【補正対象項目名】０００８
【補正方法】変更
【補正の内容】
【０００８】
また、本発明に係る制御装置は、入力された画像データの輝度を補正して補正後の画像データを複数の発光素子が配列された複数の表示モジュールに出力し、前記複数の表示モジュールを配列して構成される画像表示装置に前記補正後の画像データに対応する画像を表示させる制御装置であって、前記複数の表示モジュールのうちの第１の表示モジュールと、この第１の表示モジュールに隣り合う前記複数の表示モジュールのうちの第２の表示モジュールとの間の間隔値が入力された場合に、前記入力された間隔値に対応し前記画像データの輝度を補正するための輝度補正値を出力する輝度補正値出力部と、この輝度補正値出力部から出力された前記輝度補正値に基づいて、前記画像データを構成する複数の画素のうち、前記第１の表示モジュール内であって前記第２の表示モジュールに隣接する第１のライン上にある複数の前記発光素子に対応する複数の画素の輝度を補正する輝度補正部とを備え、前記輝度補正値出力部は、前記第１のライン上にある前記複数の発光素子に対応する前記複数の画素のうち、一部の画素と他の画素とで前記輝度補正値を異なる値とすることを特徴とする。
【手続補正４】
【補正対象書類名】明細書
【補正対象項目名】０００９
【補正方法】変更
【補正の内容】
【０００９】
また、本発明に係る表示モジュールは、複数配列されて画像を表示する画像表示装置を構成するとともに、複数の発光素子が配列された表示モジュールであって、隣り合う表示モジュールとの間の間隔値に対応し、入力される画像データの輝度を補正するための輝度補正値が記憶される輝度補正値記憶部と、前記輝度補正値記憶部に記憶される前記輝度補正値に基づき、前記画像データを構成する複数の画素のうち、前記隣り合う表示モジュールに隣接するライン上にある複数の前記発光素子に対応する複数の画素の輝度を補正する輝度補正部とを備え、前記ライン上にある前記複数の前記発光素子に対応する前記複数の画素のうち、一部の画素と他の画素とで前記輝度補正値が異なる値として前記輝度補正値記憶部に記憶されることを特徴とする。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
入力された複数の画素から構成される画像データの輝度を補正して補正後の画像データを出力する制御装置と、前記画像データの前記複数の画素に対応する複数の発光素子が配列され前記制御装置からの前記補正後の画像データが入力される複数の表示モジュールとを備え、前記複数の表示モジュールを配列して構成される画像表示装置に前記補正後の画像データに対応する画像を表示させる画像表示システムであって、
前記制御装置は、
前記複数の表示モジュールのうち第１の表示モジュールと、この第１の表示モジュールと隣り合う第２の表示モジュールとの間の間隔値が入力された場合に、この入力された間隔値に対応し前記画像データの前記複数の画素の輝度を補正するための輝度補正値を出力する輝度補正値出力部と、
この輝度補正値出力部から出力された前記輝度補正値を前記複数の画素の輝度にそれぞれ加算することにより、前記第１の表示モジュール内であって前記第２の表示モジュールに隣接する第１のライン上と、前記第２の表示モジュール内であって前記第１のラインに隣接する第２のライン上とにある前記複数の画素の輝度を補正する輝度補正部とを備え、
前記輝度補正値出力部は、
前記第１のライン上にある前記複数の画素を補正する輝度補正値を交互に異なる値とし、前記第１のライン上にある前記複数の画素の輝度を補正する輝度補正値と、前記第１のライン上の前記複数の画素にそれぞれ隣接する前記第２のライン上の画素の輝度を補正する前記輝度補正値とが所定の差となるように前記輝度補正値を出力することを特徴とする画像表示システム。
【請求項２】
前記輝度補正値出力部は、前記入力された間隔値が前記表示モジュール内の隣り合う前記発光素子間の間隔値よりも大きい場合は、前記第１のライン上にある前記複数の発光素子に対応する前記複数の画素の輝度を入力時の輝度よりも高くする輝度補正値を出力し、前記入力された間隔値が前記表示モジュール内の隣り合う前記発光素子間の間隔値よりも小さい場合は、前記第１のライン上にある前記複数の発光素子に対応する前記複数の画素の輝度を入力時の輝度よりも低くする輝度補正値を出力することを特徴とする請求項１に記載の画像表示システム。
【請求項３】
前記輝度補正値出力部は、前記入力された間隔値が隣り合う前記発光素子間の間隔値よりも大きい場合は、前記第２のライン上にある前記複数の発光素子に対応する前記複数の画素の輝度を入力時の輝度よりも高くする輝度補正値を出力し、
前記入力された間隔値が隣り合う前記発光素子間の間隔値よりも小さい場合は、前記第２のライン上にある前記複数の発光素子に対応する前記複数の画素の輝度を入力時の輝度よりも低くする輝度補正値を出力することを特徴とする請求項１に記載の画像表示システム。
【請求項４】
前記制御装置は、撮像装置により撮像された前記画像表示装置の撮像画像データに基づいて前記第１の表示モジュールと前記第２の表示モジュールとの間の間隔値を算出し、前記輝度補正値出力部に出力する撮像画像解析部を備えることを特徴とする請求項１から請求項３のいずれかに記載の画像表示システム。
【請求項５】
前記撮像画像解析部は、
前記撮像画像データから前記第１の表示モジュールと前記第２の表示モジュール間の間隔値と、前記表示モジュール内の隣り合う前記発光素子間の間隔値とを算出する間隔値算出部と、
前記間隔値算出部により算出された前記表示モジュール間の間隔値と前記発光素子間の間隔値とを比較して設置ずれを判定し、設置ずれが生じていると判定した場合には前記表示モジュール間の間隔値を前記輝度補正値出力部に出力する設置ずれ判定部とを有することを特徴とする請求項４に記載の画像表示システム。
【請求項６】
入力された複数の画素から構成される画像データの輝度を補正し、補正後の画像データを前記画像データの前記複数の画素に対応する複数の発光素子が配列された複数の表示モジュールに出力し、前記複数の表示モジュールを配列して構成される画像表示装置に前記補正後の画像データに対応する画像を表示させる制御装置であって、
前記複数の表示モジュールのうち第１の表示モジュールと、この第１の表示モジュールと隣り合う第２の表示モジュールとの間の間隔値が入力された場合に、この入力された間隔値に対応し前記画像データの前記複数の画素の輝度を補正するための輝度補正値を出力する輝度補正値出力部と、
この輝度補正値出力部から出力された前記輝度補正値を前記複数の画素の輝度にそれぞれ加算することにより、前記第１の表示モジュール内であって前記第２の表示モジュールに隣接する第１のライン上と、前記第２の表示モジュール内であって前記第１のラインに隣接する第２のライン上とにある前記複数の画素の輝度を補正する輝度補正部とを備え、
前記輝度補正値出力部は、
前記第１のライン上にある前記複数の画素を補正する輝度補正値を交互に異なる値とし、前記第１のライン上にある前記複数の画素の輝度を補正する輝度補正値と、前記第１のライン上の前記複数の画素にそれぞれ隣接する前記第２のライン上の画素の輝度を補正する前記輝度補正値とが所定の差となるように前記輝度補正値を出力することを特徴とする制御装置。
【請求項７】
複数配列されて画像を表示する画像表示装置を構成するとともに、複数の発光素子が配列された表示モジュールであって、
隣り合う表示モジュールとの間の間隔値に対応し、入力される画像データを構成する複数の画素の輝度を補正するための輝度補正値が記憶される輝度補正値記憶部と、
前記輝度補正値記憶部に記憶される前記輝度補正値を前記複数の画素の輝度にそれぞれ加算することにより、前記複数の画素のうち、前記隣り合う表示モジュールに隣接するライン上にある複数の前記発光素子に対応する複数の画素の輝度を補正する輝度補正部とを備え、
前記輝度補正値出力部は、
前記ライン上にある前記複数の画素を補正する輝度補正値を交互に異なる値とし、
前記ライン上における前記複数の画素の輝度補正値と、前記ライン上における前記複数の画素にそれぞれ隣接する前記隣接するライン上の画素の輝度補正値とが所定の差となるように前記輝度補正値を記憶することを特徴とする表示モジュール。
【請求項８】
前記輝度補正値記憶部に記憶される前記輝度補正値は、前記間隔値が前記表示モジュール内の隣り合う前記発光素子間の間隔値よりも大きい場合は、前記ライン上にある複数の前記発光素子に対応する前記複数の画素の輝度を入力時よりも高くする値であり、前記間隔値が前記表示モジュール内の隣り合う前記発光素子間の間隔値よりも小さい場合は、前記ライン上にある複数の前記発光素子に対応する前記複数の画素の輝度を入力時よりも低くする値であることを特徴とする請求項７に記載の表示モジュール。
【手続補正２】
【補正対象書類名】明細書
【補正対象項目名】０００７
【補正方法】変更
【補正の内容】
【０００７】
入力された複数の画素から構成される画像データの輝度を補正して補正後の画像データを出力する制御装置と、前記画像データの前記複数の画素に対応する複数の発光素子が配列され前記制御装置からの前記補正後の画像データが入力される複数の表示モジュールとを備え、前記複数の表示モジュールを配列して構成される画像表示装置に前記補正後の画像データに対応する画像を表示させる画像表示システムであって、前記制御装置は、前記複数の表示モジュールのうち第１の表示モジュールと、この第１の表示モジュールと隣り合う第２の表示モジュールとの間の間隔値が入力された場合に、この入力された間隔値に対応し前記画像データの前記複数の画素の輝度を補正するための輝度補正値を出力する輝度補正値出力部と、この輝度補正値出力部から出力された前記輝度補正値を前記複数の画素の輝度にそれぞれ加算することにより、前記第１の表示モジュール内であって前記第２の表示モジュールに隣接する第１のライン上と、前記第２の表示モジュール内であって前記第１のラインに隣接する第２のライン上とにある前記複数の画素の輝度を補正する輝度補正部とを備え、前記輝度補正値出力部は、前記第１のライン上にある前記複数の画素を補正する輝度補正値を交互に異なる値とし、前記第１のライン上にある前記複数の画素の輝度を補正する輝度補正値と、前記第１のライン上の前記複数の画素にそれぞれ隣接する前記第２のライン上の画素の輝度を補正する前記輝度補正値とが所定の差となるように前記輝度補正値を出力することを特徴とする。
【国際調査報告】
2013051063.tif 000022
2013051063.tif 000023
2013051063.tif 000024
2013051063.tif 000025